(57)【要約】【課題】  リアガイドによって記録シートが汚れるのを抑制し、記録品質の低下を抑制すること。【解決手段】  記録ヘッドにおいて、記録ワイヤ５２を案内するノーズ５３を備え、このノーズ５３の一側面としての平坦面６２に、記録シート上をヘッド移動方向に転動し、記録シート面とノーズ先端５３Ａとのギャップを規定するガイドローラ５６を配置すると共に、ノーズ５３の平坦面６２の反対側の他側面に、金属板で形成され、先端面６３Ｃが記録シートに当接するリアガイド６３を配置し、このリアガイド６３の先端面６３Ｃを、平滑に研磨した。【選択図】      図６
2006168289.tif 000002
【特許請求の範囲】
【請求項１】
記録ワイヤを案内するノーズを備え、このノーズの一側面に、記録シート上をヘッド移動方向に転動し、記録シート面とノーズ先端とのギャップを規定するガイドローラを配置すると共に、
前記ノーズの一側面の反対側の他側面に、金属板で形成され、先端面が記録シートに当接するリアガイドを配置し、このリアガイドの先端面を、平滑に研磨したことを特徴とする記録ヘッド。
【請求項２】
前記リアガイドの先端面は、表面粗さＲａが１．６μｍ以下に研磨加工されていることを特徴とする請求項１に記載の記録ヘッド。
【請求項３】
前記リアガイドの先端面は、化学研磨により研磨加工されていることを特徴とする請求項２に記載の記録ヘッド。
【請求項４】
前記リアガイドの先端面は、前記ガイドローラと略同曲率に形成されていることを特徴とする請求項１乃至請求項３のいずれか一項に記載の記録ヘッド。
【請求項５】
前記ガイドローラを支持するローラ支持部材を備え、このローラ支持部材が前記ノーズの一側面に当接すると共に、前記リアガイドが前記ノーズの他側面に当接し、前記ローラ支持部材及び前記リアガイドが前記ノーズにねじで一体に固定されていることを特徴とする請求項１乃至請求項４のいずれか一項に記載の記録ヘッド。
【請求項６】
キャリッジに搭載される記録ヘッドが記録ワイヤを備え、当該記録ワイヤの突出動作によりプラテンに搬送された記録シートに画像を記録する記録装置において、
前記記録ヘッドは、前記記録ワイヤを案内するノーズを備え、このノーズの上流側の一側面に、記録シート上をヘッド移動方向に転動し、記録シート面とノーズ先端とのギャップを規定するガイドローラを配置すると共に、
前記ノーズの一側面の反対側の他側面に、金属板で形成され、先端面が記録シートに当接するリアガイドを配置し、このリアガイドの先端面を、平滑に研磨したことを特徴とする記録装置。
【発明の詳細な説明】
【技術分野】
【０００１】
本発明は、記録シートに当接させる先端面を有するリアガイドを備えた記録ヘッド及び記録装置に関する。
【背景技術】
【０００２】
一般に、記録装置として、キャリッジに搭載される記録ヘッドを備え、この記録ヘッドの記録ワイヤを、リボンカートリッジから繰り出されたインクリボンを介して、プラテン上に搬送された記録シートに打ち付けることで、文字等のテキストを含む画像を記録シートに記録するドットインパクトプリンタが知られている。
【０００３】
この種のプリンタでは、中央に折り返し部分（いわゆるセンターホールド）を有する記録シート（例えば、通帳）を記録対象とするものがあり、記録ヘッドのヘッド駆動部に連設されたノーズの一側面に、ローラ支持部材を介してガイドローラを設け、プラテンを記録ヘッド方向にばね付勢したり、記録ヘッドあるいはキャリッジをプラテン方向にばね付勢しておき、記録シートに段差が形成されていても、記録ヘッドのノーズの先端とプラテンに搬送された記録シート面とのギャップ（以下、「プラテンギャップ」という）を適正に保つようにしている（例えば、特許文献１参照）。このガイドローラの周面は、通帳等の記録シート上を円滑に転動させるために、ゴムで形成されている。
【特許文献１】特開２００３−１５９８５１号公報
【発明の開示】
【発明が解決しようとする課題】
【０００４】
ところで、上記記録ヘッドにおいて、ノーズ先端側に記録シートが浮き上がるのを防止すべく、ガイドローラが配置されるノーズの一側面とは反対側の他側面に、金属板で形成され、先端面が記録シート面上を摺動するリアガイドを配置するものが提案されている。
【０００５】
この種のリアガイドは、金属板がプレス加工装置により打ち抜かれて形成され、リアガイドの刃の抜け側の端面には、微小な凹凸を有する破断面が形成される。このリアガイドを有する記録ヘッドにより記録シートに画像を記録する場合、記録シート上のインクが十分に乾燥していない箇所をリアガイドの先端面が摺動することとなるので、この破断面がヘッド移動方向にインクを引きずり、記録シートの面上を汚してしまい、記録品質が低下してしまう。
【０００６】
そこで、本発明の目的は、上述した従来の技術が有する課題を解消し、リアガイドによって記録シートがインクで汚れるのを抑制することができる記録ヘッド及びこの記録ヘッドを備えた記録装置を提供することにある。
【課題を解決するための手段】
【０００７】
上記課題を解決するため、本発明は、記録ワイヤを案内するノーズを備え、このノーズの一側面に、記録シート上をヘッド移動方向に転動し、記録シート面とノーズ先端とのギャップを規定するガイドローラを配置すると共に、前記ノーズの一側面の反対側の他側面に、金属板で形成され、先端面が記録シートに当接するリアガイドを配置し、このリアガイドの先端面を、平滑に研磨したことを特徴とするものである。
前記構成によれば、リアガイドの先端面が平滑に研磨されるので、リアガイドの先端面と記録シートとの間の接触抵抗が低下し、記録シートに染み込んだ未乾燥インクがリアガイドの先端面によって掻き出されて引きずられるのを抑制することができるので、記録シートがインクで汚れるのを抑制することができ、記録品質の低下を抑制することができる。
【０００８】
また、前記記録ヘッドにおいて、前記リアガイドの先端面は、表面粗さＲａが１．６μｍ以下に研磨加工されていることを特徴とするものである。
前記構成によれば、リアガイドの先端面の表面粗さＲａが１．６μｍ以下であるので、リアガイドの先端面が平滑であり、リアガイドの先端面によって記録シートに染み込んだインクが掻き出されるのを効果的に抑制することができ、記録シートがインクで汚れるのを効果的に抑制することができ、記録品質の低下を効果的に抑制することができる。
【０００９】
また、前記記録ヘッドにおいて、前記リアガイドの先端面は、化学研磨により研磨加工されていることを特徴とするものである。
前記構成によれば、リアガイドの先端面をより効果的に平滑にすることができるので、リアガイドの先端面によって記録シートがインクで汚れるのをより効果的に抑制することができ、記録品質の低下をより効果的に抑制することができる。
【００１０】
また、前記記録ヘッドにおいて、前記リアガイドの先端面は、前記ガイドローラと略同曲率に形成されていることを特徴とするものである。
前記構成によれば、リアガイドの先端面が、ガイドローラと略同曲率に形成されているので、リアガイドの先端面がより円滑に記録シート面上を移動することとなり、リアガイドの先端面によって記録シートがインクで汚れるのをより効果的に抑制することができ、記録品質の低下をより効果的に抑制することができる。
【００１１】
また、前記記録ヘッドにおいて、前記ガイドローラを支持するローラ支持部材を備え、このローラ支持部材が前記ノーズの一側面に当接すると共に、前記リアガイドが前記ノーズの他側面に当接し、前記ローラ支持部材及び前記リアガイドが前記ノーズにねじで一体に固定されていることを特徴とするものである。
前記構成によれば、ローラ支持部材及びリアガイドがノーズにねじで一体に固定される場合に、リアガイドの先端面によって記録シートがインクで汚れるのを抑制することができ、記録品質の低下を抑制することができる。
【００１２】
キャリッジに搭載される記録ヘッドが記録ワイヤを備え、当該記録ワイヤの突出動作によりプラテンに搬送された記録シートに画像を記録する記録装置において、前記記録ヘッドは、前記記録ワイヤを案内するノーズを備え、このノーズの上流側の一側面に、記録シート上をヘッド移動方向に転動し、記録シート面とノーズ先端とのギャップを規定するガイドローラを配置すると共に、前記ノーズの一側面の反対側の他側面に、金属板で形成され、先端面が記録シートに当接するリアガイドを配置し、このリアガイドの先端面を、平滑に研磨したことを特徴とするものである。
前記構成によれば、リアガイドの先端面が平滑に研磨されるので、リアガイドの先端面と記録シートとの間の接触抵抗が低下し、記録シートに染み込んだ未乾燥インクがリアガイドの先端面によって掻き出されて引きずられるのを抑制することができるので、記録シートがインクで汚れるのを抑制することができ、記録品質の低下を抑制することができる。
【発明の効果】
【００１３】
本発明によれば、記録ヘッドのリアガイドによって記録シートが汚れるのを抑制することができ、記録品質の低下を抑制することができる。
【発明を実施するための最良の形態】
【００１４】
以下、本発明の実施形態について図面を参照して説明する。
図１は、本実施形態に係る記録装置としてのドットインパクトプリンタの外観を示す正面斜視図である。図２は、プリンタ本体１１を示す斜視図である。図３は、図１のプリンタ１０を示す側断面図である。
【００１５】
図１乃至図３に示す記録装置としてのドットインパクトプリンタ１０は、記録ヘッド１８（図２及び図３参照）が備える複数の記録ワイヤを、インクリボン４０を介して記録シートに押し付け、この記録シート上にドットを形成することにより、文字を含む画像を記録するものである。
【００１６】
記録シートとしては、所定長さに切断されたカットシートと、複数枚が連接された連続紙とがある。カットシートとしては、例えば単票紙や単票複写紙などの普通紙の他、通帳や葉書、封筒などがあり、連続紙としては、連続複写紙を含んでいる。図１に示す記録シートＳは、通帳であり、複数枚の記録用紙が綴じられ、記録用紙の記録面を開いた場合の底面に磁気ストライプＭＳが設けられている。
【００１７】
このプリンタ１０は、記録装置本体としてのプリンタ本体１１と、このプリンタ本体１１を覆う外装体としての上部カバー１２、上部ケース１３及び下部ケース１４とを備えて構成される。上部ケース１３及び下部ケース１４の前面には、手差口１５が開口している。
【００１８】
プリンタ本体１１は、図２及び図３に示すように、左サイドフレーム１６及び右サイドフレーム１７（一対のサイドフレーム）を備えた本体フレームと、記録ヘッド１８及びキャリッジ１９を備えた記録機構部２０と、記録ヘッド１８に対向するプラテン２１と、第１搬送ローラ２２及び第２搬送ローラ２３を備えた第１シート搬送機構部２４と、第３搬送ローラ２５及び第４搬送ローラ２６を備えた第２シート搬送機構部２７と、記録シートＳを整列させる整列板２８と、記録シートＳに設けられた磁気ストライプＭＳの磁気情報を読み取り又は書き込む磁気ヘッド３４を備えた磁気データ読書部２９と、磁気情報読み書き時に記録シートＳの浮き上がりを上から押えるシート押え部３０と、を有している。
【００１９】
上記本体フレームの両サイドフレーム１６、１７間には、キャリッジ軸３１が架け渡されると共に、両サイドフレーム１６、１７間に平坦面形状の前方シート案内３２及び後方シート案内３３が固定して設けられる。これらの前方シート案内３２と後方シート案内３３との間に、平面形状のプラテン２１が配置される。
【００２０】
上記第１シート搬送機構部２４は、プラテン２１に対してプリンタ本体１１の前方側に配置され、第２シート搬送機構部２７は、プラテン２１に対してプリンタ本体１１の後方側に配置される。更に、第１搬送ローラ２２と第２搬送ローラ２３が、また第３搬送ローラ２５と第４搬送ローラ２６が、それぞれ上下方向に配置されて対をなす。
【００２１】
このうち、第１搬送ローラ２２、第３搬送ローラ２５は、プラテン２１と共に前方シート案内３２、後方シート案内３３のそれぞれの下方に配置され、第２搬送ローラ２３、第４搬送ローラ２６が、前方シート案内３２、後方シート案内３３のそれぞれの上方に配置される。第１搬送ローラ２２及び第３搬送ローラ２５は、図示しないシート搬送モータ及び駆動輪列部によって回転駆動される駆動ローラであり、第２搬送ローラ２３及び第４搬送ローラ２６は、それぞれ第１搬送ローラ２２及び第３搬送ローラ２５側に所定の押圧力でばね付勢されている従動ローラである。これによって、第１搬送ローラ２２と第２搬送ローラ２３とが互いに反対方向に回転駆動されると共に、第３搬送ローラ２５と第４搬送ローラ２６とが互いに反対方向に回転駆動される。これらシート搬送機構部２４、２７が動作することにより、記録シートに画像を記録する際に、記録シートがシート搬送方向Ｘ１に搬送され、記録シートを排出する際に、記録シートがシート搬送方向Ｘ２に搬送される。
【００２２】
上記キャリッジ１９は、キャリッジ軸３１に摺動自在に挿通されるとともに、記録ヘッド１８を搭載している。キャリッジ１９は、当該キャリッジ１９を駆動する不図示のキャリッジ駆動モータの正転又は逆転により、不図示のタイミングベルトを介しキャリッジ軸３１に案内されて、このキャリッジ軸３１の軸方向及びプラテン２１の長手方向と一致する主走査方向としてのヘッド移動方向Ｙ（図２）に、一対のサイドフレーム１６、１７の範囲で走行（走査）される。このキャリッジ１９（つまり、記録ヘッド１８）が移動するヘッド移動方向Ｙは、シート搬送方向Ｘ１，Ｘ２に水平面内で直交している。
【００２３】
プラテン２１は、キャリッジ１９の走行方向（つまり、ヘッド移動方向Ｙ）に延在して平面形状に形成され、その両端が、付勢部材としての付勢ばね４１（図３）により記録ヘッド１８に向けて付勢されるとともに、弾性支持されている。この付勢ばね４１は、圧縮コイルばねである。この付勢ばね４１の付勢力により、記録ヘッド１８の記録動作時における記録ワイヤの突出力が支持される。また、プラテン２１は、記録シートＳの搬送中にこの記録シートＳの厚さが変化した場合、又はプリンタ本体１１に厚さの異なる記録シートＳが搬入された場合に、付勢ばね４１の付勢力に抗して、記録ヘッド１８の先端により押圧されて記録ヘッド１８から離れる方向に移動する。これにより、記録シートの厚さに拘わらず、記録ヘッド１８の先端と記録シートＳの記録面との間のギャップ（プラテンギャップ）が一定に確保される。
【００２４】
記録ヘッド１８は、キャリッジ１９と共に主走査方向としてのヘッド移動方向Ｙに走行される間に、記録ワイヤを突出させてインクリボン４０に打ち当て、このインクリボン４０のインクを、プラテン２１と記録ヘッド１８との間に搬送される記録シートＳに付着させて、この記録シートＳに文字を含む画像を記録する。このインクリボン４０は、リボンカートリッジ３９内に折り畳まれて収納される。このリボンカートリッジ３９は、キャリッジ１９又は本体フレームに装着される。
【００２５】
次に、プリンタ１０の動作の概略を説明する。通帳としての記録シートＳが図１に示す手差口１５から挿入されると、整列板２８が搬送経路に突出され、記録シートＳが第１搬送ローラ２２及び第２搬送ローラ２３により挟まれてプラテン２１の手前まで搬送される。
【００２６】
次に、整列板２８を搬送経路に突出させた状態で、第１搬送ローラ２２及び第２搬送ローラ２３により記録シートＳが搬送される。これによって、記録シートＳが整列板２８に沿って整列することとなる。次いで、磁気データ読書部２９が記録シートＳの磁気ストライプＭＳを読み取ることができる読み取り位置まで、記録シートＳが第１シート搬送機構部２４により搬送される。
【００２７】
次に、記録シートＳの磁気ストライプＭＳから情報が磁気データ読書部２９により読み取とられた後、第１及び第２シート搬送機構部２４、２７によって記録シートＳがプラテン２１上の記録位置まで搬送され、文字等の画像が記録ヘッド１８により記録される。
【００２８】
この記録ヘッド１８による記録動作は、記録ヘッド１８がヘッド移動方向Ｙの左向き又は右向きに走行される間に、記録ヘッド１８の記録ワイヤにより１行分の記録がなされ、この１行分の記録がなされる度に、第１搬送ローラ２２、第２搬送ローラ２３、第３搬送ローラ２５及び第４搬送ローラ２６が記録シートＳを所定長（通常行間分）、シート搬送方向Ｘ１に搬送させ、これらの動作が繰り返されることにより実施される。
【００２９】
記録ヘッド１８による記録後、記録シートＳは、第１及び第２シート搬送機構部２４、２７によって上記読み取り位置まで搬送され、記録シートＳへ記録した情報に基づいて、磁気データ読書部２９により磁気ストライプＭＳに磁気情報が書き込まれる。次に、第１シート搬送機構部２４によって記録シートＳが前側に搬送され、記録シートＳが手差口１５から排出される。
【００３０】
第１、第２シート搬送機構部２４、２７の駆動制御、キャリッジ１９の走行制御、記録ヘッド１８の記録ワイヤによる記録動作の制御、及び磁気データ読書部２９の読み書き制御等、プリンタ１０全体を制御する制御基板部５０が、例えばプリンタ本体１１の後方側の下方に配置される。
【００３１】
次に、記録ヘッド１８の構成について説明する。図４は、記録ヘッド１８の断面図である。この記録ヘッド１８は、複数の記録ワイヤ５２を備え、キャリッジ１９（図３）と共に主走査方向に走行する間に、記録ワイヤ５２を突出させてインクリボン４０に打ち当て、このインクリボン４０のインクを、記録ヘッド１８の下方に位置する通帳等の記録シートに付着させて、この記録シートに文字を含む画像を記録する。
【００３２】
記録ヘッド１８は、記録ワイヤ５２を駆動するヘッド駆動部５１を備え、このヘッド駆動部５１に、複数の記録ワイヤ５２からなる記録ワイヤ列を案内するノーズ５３が連設される。このヘッド駆動部５１の外側には、アルミニウム製の放熱器５４が配置されて構成される。
【００３３】
ヘッド駆動部５１は、前段記録ヘッドユニット１００と、この前段記録ヘッドユニット１００と略同様の構成の後段記録ヘッドユニット１０１とを有しており、前段記録ヘッドユニット１００と後段記録ヘッドユニット１０１とが重ねられて構成されている。
【００３４】
ここで、前段記録ヘッドユニット１００と後段記録ヘッドユニット１０１とは、略同様の構成であるので、以下、記録ヘッドユニット１００、１０１の説明においては、前段記録ヘッドユニット１００の構成について説明し、後段記録ヘッドユニット１０１において前段記録ヘッドユニット１００と同様の部分については、同一符号を付して説明を省略する。
【００３５】
前段記録ヘッドユニット１００は、略リング形状のフレーム１０２の一方側（ノーズ５３と反対側）に、略リング形状のヨーク１０３、サイドヨーク１０４が順次積層して配設されているとともに、レバーホルダ１０５が配置される。このレバーホルダ１０５は、記録シートに画像を記録するための記録用レバー１０６を一体に押えるものである。また、フレーム１０２の内周には、略円筒形状のスプリングホルダ１０７が配置される。
【００３６】
フレーム１０２は、軟磁性材料（例えばパーメンジュールや１％ケイ素鋼など）から構成され、同心円上に所定間隔を隔てて複数のコア１０８が放射状に一体に形成される。これらの各コア１０８に電磁コイル１０９がボビンを介して組み付けられ、このコア１０８及び電磁コイル１０９により電磁石１１０が構成される。また、フレーム１０２のノーズ５３方向側には、電磁コイル１０９へ通電するための電気回路が配置された基板１１１が配置されている。
【００３７】
ノーズ５３は、上述したように前段記録ヘッドユニット１００、１０１における記録ワイヤ５２の上述の突出動作を含む進退動作を案内するものである。つまり、記録ワイヤ５２の進退動作は、ノーズ５３内の複数の中間ガイド５９及び先端ガイド５５により案内される。ここで、後段記録ヘッドユニット１０１の図示しない記録ワイヤは、前段記録ヘッドユニット１００の後方から挿通され、ノーズ５３の中間ガイド５９及び先端ガイド５５によって案内されている。これによって、シート搬送方向Ｘ１，Ｘ２と略平行に記録ワイヤ列が形成される。
【００３８】
ヨーク１０３及びサイドヨーク１０４には、周方向に複数形成されたそれぞれの凹部に各１本の記録用レバー１０６が収容され、また、これらの記録用レバー１０６の基端が支点軸１１２を基準に回動可能に支持される。
【００３９】
各記録用レバー１０６の先端には、記録ワイヤ５２が装着される。また、スプリングホルダ１０７には、各記録用レバー１０６の先端付近に復帰力を付与する圧縮コイルばねとしての図示しない復帰コイルばねがそれぞれ収容されている。
【００４０】
各記録用レバー１０６には、各コア１０８に対向する位置にアーマチュア１１３が設けられる。アーマチュア１１３は、電磁石１１０の電磁コイル１０９に通電がなされて、この電磁石１１０の周囲に磁気回路が形成されたとき、コア１０８が励磁されて発生した吸引力によってコア１０８に吸引される。これにより、記録用レバー１０６は、支点軸１１２を中心として記録ワイヤ５２をノーズ５３の先端から突出させる突出位置までノーズ５３方向に回動し、記録ワイヤ５２をノーズ５３の先端から突出させる。この記録ワイヤ５２の突出により、記録ヘッド１８は、記録ヘッド１８に対向配置されたインクリボン４０のインクをプラテン２１上の記録シートＳに転写することとなる。
【００４１】
このプリンタ１０においては、例えば、通帳の見開き頁間に跨って画像を記録する場合がある。そして、通帳の見開き頁間に跨って画像を記録する場合、記録ヘッド１８は、見開き頁間の中央の段部（いわゆるセンターホールド）又は端部などの段差を乗り越えて走査される。記録ヘッド１８のノーズ５３近傍には、記録シート厚にかかわらずプラテンギャップを適正に保持するため、記録シート上をカバーシート３５（図３参照）を介して転動する１つのガイドローラ５６が設けられている。カバーシート３５は、プラテン２１に沿って、サイドフレーム１６、１７間に延在しており、サイドフレーム１６、１７に支持されている。このカバーシート３５は、板状の樹脂（例えば、プラスチック）で形成されている。このカバーシート３５によってガイドローラ５６が記録シートＳに直接当接するのを防止し、ガイドローラ５６により記録シートＳが汚れるのを防止することができる。
【００４２】
ガイドローラ５６は、当該ガイドローラ５６を回転可能に支持するローラ支持部材５７を介してノーズ５３の先端５３Ａ近傍に取り付けられ、記録ヘッド１８の移動に伴って、記録ヘッド１８の移動するヘッド移動方向Ｙ（図２）に転動する。
【００４３】
ガイドローラ５６は、円盤状のアルミニウム等の金属で形成された基体５６Ａを備え、この基体５６Ａの周縁部にゴム５６Ｂが設けられている。このガイドローラ５６のゴム５６Ｂは、ＮＢＲで構成してもよいが、プラテン２１（図３）は、記録ヘッド１８方向に付勢ばね４１により付勢されており、紙厚に応じてガイドローラ５６にかかる荷重が変化するので、荷重変化に対する変形量の小さいウレタンで構成するのが好ましい。
【００４４】
図５は、記録ヘッド１８を示す斜視図である。
ノーズ５３は、加工の精度や放熱性、耐久性等を向上させるためにノーズ本体が、放熱器５４と同材質のアルミニウムで形成されており、このノーズ５３の先端５３Ａには、記録ワイヤ５２の進退を案内する樹脂製又はセラミックス製の先端ガイド５５が設けられている。
【００４５】
ノーズ５３は、図５及び図６に示すように、先端ガイド５５及び中間ガイド５９（図４）を保持して記録ワイヤ５２を案内するワイヤガイド部６０と、このワイヤガイド部６０の両側に形成され、ローラ支持部材５７を取り付けるためのリブ６１とを備えている。これらリブ６１は、肉厚の平板状に形成されており、ノーズ５３の補強も兼ねている。
【００４６】
ノーズ５３のワイヤガイド部６０及び各リブ６１の一側面は、二次加工としての切削加工が施され、平坦面６２が形成されている。このノーズ５３の平坦面６２には、ガイドローラ５６を支持したローラ支持部材５７が当接される。このローラ支持部材５７は、アルミニウム等の金属で形成され、このローラ支持部材５７の外側には、放熱フィン６６が一体に形成されている。この放熱フィン６６は、記録ヘッド１８のヘッド移動方向Ｙ（図２参照）に平行に延びて形成されている。これによって、ノーズ５３に伝導した熱が効果的に放熱される。
【００４７】
ノーズ５３のワイヤガイド部６０及び各リブ６１の他側面は、ワイヤガイド部６０が突出する凸字形状を有しており、ノーズ５３の先端５３Ａ側に記録シートＳがプラテン２１から浮き上がるのを抑制すべく、ワイヤガイド部６０及び各リブ６１の他側面の凸字形状に嵌る凹字形状に折り曲げられたリアガイド６３が、ノーズ５３を挟んで、ローラ支持部材５７に対向して配置されている。このリアガイド６３は、ステンレス（ＳＵＳ３０３等）で形成されている。
【００４８】
これらガイドローラ５６を支持したローラ支持部材５７とリアガイド６３とをリブ６１に固定する際には、各リブ６１にそれぞれ１本のねじ７０が螺合され、各ねじ７０に１個のナット７１が螺合されて、ローラ支持部材５７、ノーズ５３及びリアガイド６３がねじ７０及びナット７１で一体に締結される。これらねじ７０及びナット７１は、金属で形成されている。
【００４９】
つまり、リアガイド６３は、図７に示すように、ワイヤガイド部６０に当接するワイヤガイド当接部６３Ａと、このワイヤガイド当接部６３Ａの両側に形成され、各リブ６１に当接するリブ当接部６３Ｂとを備え、ワイヤガイド当接部６３Ａの先端面６３Ｃが、記録ワイヤ５２の突出方向Ｚ（図６）に延出している。この先端面６３Ｃ（図７中、斜線部分）は、ガイドローラ５６と略同曲率（同曲率の場合を含む。）に形成されている。これによって、記録ヘッド１８は、記録シートＳ面上を円滑に移動することができる。
【００５０】
図８は、記録ヘッド１８近傍を示す概略断面図である。この図８に示すように、ガイドローラ５６は、シート搬送方向Ｘ１に搬送される記録シートＳ上に記録ワイヤ５２により画像が記録される位置の上流側（つまり、ノーズ５３の上流側）に配置され、リアガイド６３は、記録ワイヤ５２により画像が記録される位置の下流側（つまり、ノーズ５３の下流側）に配置されている。つまり、リアガイド６３の先端面６３Ｃは、記録シートＳの記録ワイヤ５２により記録したインクが染み込んでいる箇所をヘッド移動方向Ｙ（図２参照）に摺動することとなる。
【００５１】
ところで、リアガイド６３は、ステンレス板が不図示のプレス加工装置により打ち抜かれて形成されている。図９は、打ち抜いた直後のリアガイド６３の先端面６３Ｃを示すリアガイド６３の断面図である。この図９に示すように、リアガイド６３の先端面６３Ｃにおける不図示のプレス加工装置の刃の抜け側には、微小な凹凸を有する破断面Ａが形成される。仮に、この破断面Ａを有する先端面６３Ｃが記録シートＳ面上を摺動する場合、記録シートＳ面上のインクが十分に乾燥していない箇所を破断面Ａを有する先端面６３Ｃが接触することとなるので、この破断面Ａが記録シートＳの繊維を削り取り、記録シートＳに浸透したインクを掻き出してヘッド移動方向Ｙに引きずり、記録シートＳの面上を汚してしまうこととなる。
【００５２】
そこで、本第実施形態では、リアガイド６３の先端面６３Ｃ（図７中、斜線で示した面）は、図１０に示すように、凹凸を有する破断面がなくなるように平滑に研磨されている。この先端面６３Ｃの平均表面粗さＲａは、記録シートＳの表面の繊維を削って、この記録シートＳに浸透した未乾燥のインクを掻き出さない程度の粗さに設定するのが好ましい。なお、リアガイド６３の先端面６３Ｃ以外の端面は、記録シートＳに接触することはないので研磨する必要はない。
【００５３】
つまり、リアガイド６３の先端面６３Ｃの表面粗さＲａは、記録シートＳの繊維を削り取ることのない１．６μｍ以下となるように、エッチング液により化学研磨されている。特に、リアガイド６３の先端面６３Ｃを化学研磨した場合には、その先端面６３Ｃは鏡面となり、先端面６３Ｃと記録シートＳの面との間の摩擦抵抗が極めて小さくなる。従って、先端面６３Ｃにより記録シートＳの繊維が削れるのを効果的に抑制することができ、記録シートＳに染み込んだ未乾燥インクが掻き出されるのを抑制することができるので、記録シートＳがインクで汚れるのを効果的に抑制することができる。このように、記録シートＳに染み込んだ未乾燥のインクがリアガイド６３の先端面６３Ｃによって掻き出されることによる記録シートＳの汚れを抑制することができるので、記録品質の低下を抑制することができる。
【００５４】
以上、一実施形態に基づいて本発明を説明したが、本発明は、これに限定されるものではない。例えば、上記実施形態では、先端面６３Ｃに化学研磨を施して鏡面とする場合について説明したが、これに限るものではなく、先端面６３Ｃが１．６μｍ以下となるように先端面６３Ｃを機械研磨してもよい。
【図面の簡単な説明】
【００５５】
【図１】本発明の実施形態に係る記録装置としてのプリンタの外観を示す正面斜視図である。
【図２】プリンタ本体を示す斜視図である。
【図３】プリンタを示す側断面図である。
【図４】記録ヘッドの断面図である。
【図５】記録ヘッドを示す斜視図である。
【図６】ノーズ近傍を示す拡大斜視図である。
【図７】リアガイドを示す斜視図である。
【図８】記録ヘッド近傍を示す概略断面図である。
【図９】研磨加工前のリアガイドの先端面を示す断面図である。
【図１０】研磨加工後のリアガイドの先端面を示す断面図である。
【符号の説明】
【００５６】
１０…プリンタ（記録装置）、１８…記録ヘッド、１９…キャリッジ、２１…プラテン、４０…インクリボン、４１…付勢ばね、５２…記録ワイヤ、５３…ノーズ、５３Ａ…先端、５６…ガイドローラ、５７…ローラ支持部材、６２…平坦面（一側面）、６３…リアガイド、６３Ｃ…先端面。
【図１】
2006168289.tif 000003
【図２】
2006168289.tif 000004
【図３】
2006168289.tif 000005
【図４】
2006168289.tif 000006
【図５】
2006168289.tif 000007
【図６】
2006168289.tif 000008
【図７】
2006168289.tif 000009
【図８】
2006168289.tif 000010
【図９】
2006168289.tif 000011
【図１０】
2006168289.tif 000012